(57)【要約】【課題】クラッチ機構の脱水軸方向の長さを短くする。【解決手段】脱水軸１０８を有する脱水槽１０２と、モータ１０４のロータ１０４ｂに設けられたロータ側係合部材１２１と、ロータ側係合部材１２１に係合するロータ側係合部１２４ａを有する係合片１２４と、係合片１２４を、脱水軸１０８に垂直な平面内で、ロータ側係合部１２４ａとロータ側係合部材１２１とが係合、係合解除する第１、第２の位置とに移動可能に案内するとともに、係合片１２４、および脱水槽１０２の脱水軸１０８と一体的に回転するように設けられたガイド部材１２２・１２３とを設ける。【選択図】図２
2014076115.tif 000002
【特許請求の範囲】
【請求項１】
脱水軸を有する脱水槽と、
モータのロータに設けられたロータ側係合部材と、
上記ロータ側係合部材に係合するロータ側係合部を有する係合片と、
上記係合片を、上記脱水軸に垂直な平面内で、上記ロータ側係合部が上記ロータ側係合部材に係合する第１の位置と、上記係合が解除される第２の位置とに移動可能に案内するとともに、上記係合片が上記第１の位置にあるときに、上記係合片、および上記脱水槽の脱水軸と一体的に回転するように設けられたガイド部材と、
を備えたことを特徴とする洗濯機。
【請求項２】
請求項１の洗濯機であって、
上記係合片は、複数設けられ、それぞれ円環が円周方向に複数に分割された形状を有し、それぞれ、上記第１または第２の位置に移動可能に案内されることを特徴とする洗濯機。
【請求項３】
請求項１および請求項２のうち何れか１項の洗濯機であって、
さらに、静止部位に設けられた静止部位側係合部材を備えるとともに、
上記係合片は、さらに、上記第２の位置で上記静止部位側係合部材に係合する静止部位側係合部を有することを特徴とする洗濯機。
【請求項４】
請求項２および請求項３のうち何れか１項の洗濯機であって、
上記係合片の第２の位置は、第１の位置よりも半径方向内側に移動した位置であることを特徴とする洗濯機。
【請求項５】
請求項４の洗濯機であって、
さらに、帯状の弾性体から成り、上記係合片の外周部を囲む環状部を有する帯状部材を備え、
上記帯状部材の少なくとも一端部側が周方向に引張されて上記環状部が縮径することにより、上記係合片が第１の位置から第２の位置に移動することを特徴とする洗濯機。
【請求項６】
請求項４および請求項５のうち何れか１項の洗濯機であって、
さらに、上記係合片をそれぞれ半径方向外側に付勢する付勢部材を備え、上記付勢部材の付勢力によって、上記係合片が第２の位置から第１の位置に移動することを特徴とする洗濯機。
【請求項７】
請求項２の洗濯機であって、
上記係合片は、それぞれ１つ以上の上記ロータ側係合部を有し、
上記ロータ側係合部材は、上記係合片の上記ロータ側係合部の合計数以上の係合部を有することを特徴とする洗濯機。
【請求項８】
請求項３の洗濯機であって、
上記係合片は、それぞれ１つずつ以上の上記ロータ側係合部と上記静止部位側係合部とを有し、
上記ロータ側係合部材は、上記係合片の上記ロータ側係合部の合計数以上の係合部を有し、
上記静止部位側係合部材は、上記係合片の上記静止部位側係合部の合計数以上の係合部を有することを特徴とする洗濯機。
【請求項９】
請求項７および請求項８のうち何れか１項の洗濯機であって、
上記ロータ側係合部材の係合部、および上記静止部位側係合部材の係合部は、外歯状、または内歯状に形成されていることを特徴とする洗濯機。
【請求項１０】
請求項３の洗濯機であって、
上記係合片は、上記ロータと上記静止部位との間に配置されるとともに、
上記係合片の上記ロータ側係合部は、上記係合片における上記ロータ側に形成され、
上記係合片の上記静止部位側係合部は、上記係合片における上記静止部位側に形成されていることを特徴とする洗濯機。
【発明の詳細な説明】
【技術分野】
【０００１】
本発明は、脱水機能を有する洗濯機に関するものである。
【背景技術】
【０００２】
脱水機能を有する洗濯機では、脱水槽に設けられた脱水軸とモータのロータとが、クラッチを介して連結、解除されるように構成される。より詳しくは、脱水軸の下端外周部に、セレーション部を介して円筒状のクラッチ部材を軸方向（上下方向）に摺動可能に設け、上記クラッチが、下方に移動したときにモータのロータに取り付けられたボス部にセレーションを介して勘合することによりモータの回転力を脱水軸に伝達する一方、上方に移動したときに共回り防止部に勘合して脱水軸の回転を抑制する洗濯機が知られている（例えば、特許文献１参照）。
【先行技術文献】
【特許文献】
【０００３】
【特許文献１】特開２０００−２７１３８７号公報
【発明の概要】
【発明が解決しようとする課題】
【０００４】
しかしながら、上記のようにクラッチ部材が脱水軸方向（例えば上下）方向に移動することによってモータのロータと脱水軸とが連結、解除されるように構成される場合、クラッチ機構の脱水軸方向の長さが長くなるため、例えば脱水軸が鉛直方向に設けられる洗濯機の場合であれば、洗濯機の高さ等に対する相対的な脱水槽の深さを深くすることが困難であるという問題点を有していた。
【０００５】
本発明は、かかる点に鑑みてなされたものであり、クラッチ機構の脱水軸方向の長さを短くして、脱水槽の深さを深くすることなどが容易にできるようにすることを目的としている。
【課題を解決するための手段】
【０００６】
第１の発明は、
脱水軸を有する脱水槽と、
モータのロータに設けられたロータ側係合部材と、
上記ロータ側係合部材に係合するロータ側係合部を有する係合片と、
上記係合片を、上記脱水軸に垂直な平面内で、上記ロータ側係合部が上記ロータ側係合部材に係合する第１の位置と、上記係合が解除される第２の位置とに移動可能に案内するとともに、上記係合片が上記第１の位置にあるときに、上記係合片、および上記脱水槽の脱水軸と一体的に回転するように設けられたガイド部材と、
を備えたことを特徴とする。
【０００７】
これにより、係合片は、脱水軸に垂直な平面内で移動するので、クラッチ機構の脱水軸方向の長さを短く抑えることができる。
【０００８】
第２の発明は、
第１の発明の洗濯機であって、
上記係合片は、複数設けられ、それぞれ円環が円周方向に複数に分割された形状を有し、それぞれ、上記第１または第２の位置に移動可能に案内されることを特徴とする。
【０００９】
これにより、係合片を回転対称な位置に配置して、係合片の移動を容易にできるとともに、回転力を安定して伝達させることなどができる。
【００１０】
第３の発明は、
第１の発明および第２の発明のうち何れか１つの洗濯機であって、
さらに、静止部位に設けられた静止部位側係合部材を備えるとともに、
上記係合片は、さらに、上記第２の位置で上記静止部位側係合部材に係合する静止部位側係合部を有することを特徴とする。
【００１１】
これにより、洗濯時に、係合片を静止部位側係合部材に係合させて、脱水層が共まわりしないようにすることができる。
【００１２】
第４の発明は、
第２の発明および第３の発明のうち何れか１つの洗濯機であって、
上記係合片の第２の位置は、第１の位置よりも半径方向内側に移動した位置であることを特徴とする。
【００１３】
第５の発明は、
第４の発明の洗濯機であって、
さらに、帯状の弾性体から成り、上記係合片の外周部を囲む環状部を有する帯状部材を備え、
上記帯状部材の少なくとも一端部側が周方向に引張されて上記環状部が縮径することにより、上記係合片が第１の位置から第２の位置に移動することを特徴とする。
【００１４】
第６の発明は、
第４の発明および第５の発明のうち何れか１つの洗濯機であって、
さらに、上記係合片をそれぞれ半径方向外側に付勢する付勢部材を備え、上記付勢部材の付勢力によって、上記係合片が第２の位置から第１の位置に移動することを特徴とする。
【００１５】
これらにより、係合片を半径方向外側方向に移動させてロータ側係合部材に係合させたり、半径方向内側方向に移動させて静止部位側係合部材に係合させたりすることが容易にできる。
【００１６】
第７の発明は、
第２の発明の洗濯機であって、
上記係合片は、それぞれ１つ以上の上記ロータ側係合部を有し、
上記ロータ側係合部材は、上記係合片の上記ロータ側係合部の合計数以上の係合部を有することを特徴とする。
【００１７】
第８の発明は、
第３の発明の洗濯機であって、
上記係合片は、それぞれ１つずつ以上の上記ロータ側係合部と上記静止部位側係合部とを有し、
上記ロータ側係合部材は、上記係合片の上記ロータ側係合部の合計数以上の係合部を有し、
上記静止部位側係合部材は、上記係合片の上記静止部位側係合部の合計数以上の係合部を有することを特徴とする。
【００１８】
第９の発明は、
第７の発明および第８の発明のうち何れか１つの洗濯機であって、
上記ロータ側係合部材の係合部、および上記静止部位側係合部材の係合部は、外歯状、または内歯状に形成されていることを特徴とする。
【００１９】
第１０の発明は、
第３の発明の洗濯機であって、
上記係合片は、上記ロータと上記静止部位との間に配置されるとともに、
上記係合片の上記ロータ側係合部は、上記係合片における上記ロータ側に形成され、
上記係合片の上記静止部位側係合部は、上記係合片における上記静止部位側に形成されていることを特徴とする。
【００２０】
これらにより、ロータ側係合部材や静止部位側係合部材と、係合片との係合、解除を容易に行わせることができる。
【発明の効果】
【００２１】
本発明によれば、クラッチ機構の脱水軸方向の長さを短くして、洗濯機の高さ等に対する相対的な脱水槽の深さを深くすることなどが容易にできる。
【図面の簡単な説明】
【００２２】
【図１】洗濯機のクラッチ機構を含む要部の構成を示す縦断面図である。
【図２】洗濯時におけるクラッチ機構の状態を示す要部の縦断面図である。
【図３】脱水時におけるクラッチ機構の状態を示す要部の縦断面図である。
【図４】洗濯時におけるクラッチ機構の状態を示す要部の斜視断面図である。
【図５】脱水時におけるクラッチ機構の状態を示す要部の斜視断面図である。
【図６】ロータ側係合部材１２１を上方から見た斜視図である。
【図７】洗濯槽側係合部材１２５を下方から見た斜視図である。
【図８】クラッチスライダ１２４を上方から見た斜視図である。
【図９】クラッチスライダ１２４を下方から見た斜視図である。
【図１０】上部スライダガイド１２２を上方から見た斜視図である。
【図１１】上部スライダガイド１２２を下方から見た斜視図である。
【図１２】下部スライダガイド１２３を上方から見た斜視図である。
【図１３】下部スライダガイド１２３を下方から見た斜視図である。
【図１４】弾性体バンド１２６を上方から見た斜視図である。
【発明を実施するための形態】
【００２３】
以下、本発明の実施形態を図面に基づいて詳細に説明する。なお、以下の実施形態や変形例において、他の実施形態等と同様の機能を有する構成要素については同一の符号を付して説明を省略する。
【００２４】
本発明の一実施形態に係る洗濯機は、図１に示すように、洗濯槽１０１の内部に、脱水時に回転する脱水槽１０２が設けられている。脱水槽１０２内の底部には洗濯物を撹拌するパルセータ１０３が設けられている。脱水槽１０２の外底部には、ステータ１０４ａとロータ１０４ｂとから成るモータ１０４が設けられている。ロータ１０４ｂは、洗濯軸１０５を介してパルセータ１０３に連結されている。上記洗濯軸１０５は、脱水軸１０８内に、すべり軸受１０６・１０７を介して回転自在に設けられ、脱水軸１０８は、ベアリング１１３・１１４を介して、洗濯槽１０１に取り付けられたベアリングプレート１１１・１１２に回転自在に設けられている。脱水軸１０８は、洗濯槽１０１の底部に設けられたウォータシール１１５を貫通して洗濯槽１０１内に突出し、例えばスプライン勘合するフランジシャフト１１６を介して脱水槽１０２に連結されている。
【００２５】
モータ１０４とベアリングプレート１１１との間には、図２から図５に示すようなクラッチ機構１２０が設けられ、脱水槽１０２が、洗濯時には洗濯槽１０１に結合されて共回りが抑制される一方、脱水時にはモータ１０４のロータ１０４ｂに結合されて回転するようになっている。より詳しくは、モータ１０４のロータ１０４ｂには、ロータ側係合部材１２１が取り付けられる一方、洗濯槽１０１に固定されたベアリングプレート１１１には洗濯槽側係合部材１２５が取り付けられ、これらのロータ側係合部材１２１または洗濯槽側係合部材１２５に選択的にクラッチスライダ１２４（係合片）が係合するようになっている。なお、上記洗濯槽側係合部材１２５はベアリングプレート１１１に取り付けられるのに限らず、脱水槽１０２が回転自在に設けられるのに対して静止した部分である静止部位に取り付けられていればよい。すなわち、例えばサスペンションにより懸架された洗濯槽１０１に直接または間接的に取り付けられるなどしてもよい。
【００２６】
クラッチスライダ１２４は、上部スライダガイド１２２（ガイド部材）および下部スライダガイド１２３（ガイド部材）に案内されて、半径方向外側および内側に摺動可能に設けられている。クラッチスライダ１２４の外周側には、ベアリングプレート１１１に取り付けられたバンド端固定部１２７に固定端１２６ｂが固定された弾性体バンド１２６（帯状部材）が設けられ、この弾性体バンド１２６が縮径することによってクラッチスライダ１２４が半径方向内側の第２の位置に移動し、洗濯槽側係合部１２４ｂが洗濯槽側係合部材１２５の外歯１２５ｂ（係合部）に係合するようになっている。一方、クラッチスライダ１２４の内周側にはコイルスプリング１２８（付勢部材）が設けられて、クラッチスライダ１２４が半径方向外側に付勢され、上記弾性体バンド１２６が拡径したときにクラッチスライダ１２４が半径方向外側の第１の位置に移動し、ロータ側係合部１２４ａがロータ側係合部材１２１の内歯１２１ｂ（係合部）に係合するようになっている。また、上部スライダガイド１２２は、脱水軸１０８に例えばスプライン勘合し、モータ１０４からの回転力またはベアリングプレート１１１からの共回り抑制力を脱水軸１０８に伝達するようになっている。
【００２７】
上記ロータ側係合部材１２１は、より詳しくは、図６に示すように、円筒部１２１ａの内周側に内歯１２１ｂが形成されて成っている。また、洗濯槽側係合部材１２５は、図７に示すように、円筒部１２５ａの外周側に外歯１２５ｂが形成されて成っている。
【００２８】
クラッチスライダ１２４は、図８および図９に示すように、略、円環が４分割された形状を有し、下面側にロータ側係合部１２４ａが突出して形成されるとともに、上面側に断面形状がコの字型の洗濯槽側係合部１２４ｂが突出して形成されている。また、クラッチスライダ１２４の上面側、および下面側には、それぞれ半径方向に平行な方向の摺動溝１２４ｃおよび摺動凸部１２４ｄが形成されている。クラッチスライダ１２４の半径方向内側には、コイルスプリング１２８の一端を保持するスプリング受１２４ｅが形成されている。
【００２９】
上部スライダガイド１２２は、図１０および図１１に示すように、ボス部材１２２ａと円板部材１２２ｂとから構成されている。ボス部材１２２ａの内周側には、脱水軸１０８と勘合するスプラインが形成されている。円板部材１２２ｂには、クラッチスライダ１２４の洗濯槽側係合部１２４ｂが挿通される矩形穴１２２ｃが４箇所に形成されている。円板部材１２２ｂの下面における上記矩形穴１２２ｃの近傍には、クラッチスライダ１２４の摺動溝１２４ｃと勘合して、クラッチスライダ１２４を半径方向に摺動自在に案内する摺動凸部１２２ｄが形成されている。また、ボス部材１２２ａの外周には、コイルスプリング１２８の一端を保持するスプリング受１２２ｆが形成されている。なお、上記のようなボス部材１２２ａは、下部スライダガイド１２３に設けられてもよい。
【００３０】
下部スライダガイド１２３は、図１２および図１３に示すように、円板部材１２３ａに勘合ボス１２３ｂが形成され、上部スライダガイド１２２の勘合ピン１２２ｅと勘合することにより、上部スライダガイド１２２と下部スライダガイド１２３とが間隙を空けて一体化され、間にクラッチスライダ１２４が配されるようになっている。下部スライダガイド１２３には、また、クラッチスライダ１２４のロータ側係合部１２４ａが挿通されるスリット１２３ｄ、およびクラッチスライダ１２４の摺動凸部１２４ｄが摺動自在に案内される摺動溝１２３ｃが形成されている。
【００３１】
弾性体バンド１２６は、例えば金属などの弾性体から成り、図１４に示すように、４つのクラッチスライダ１２４の外周を取り囲む環状部１２６ａを有している。弾性体バンド１２６の固定端１２６ｂは、図２に示すようにベアリングプレート１１１に取り付けられたバンド端固定部１２７によって固定され、引込端１２６ｃが図示しないアクチュエータ等によって引き込まれることによって、環状部１２６ａが縮径し、４つのクラッチスライダ１２４をそれぞれコイルスプリング１２８の付勢力に抗して半径方向内側に移動させるようになっている。
【００３２】
上記のように構成された洗濯機では、洗濯時には、上記のように、弾性体バンド１２６の引込端１２６ｃがアクチュエータ等に引き込まれて環状部１２６ａが縮径すると、４つのクラッチスライダ１２４が、それぞれコイルスプリング１２８の付勢力に抗して半径方向内側に移動する。そこで、クラッチスライダ１２４のロータ側係合部１２４ａとロータ側係合部材１２１の内歯１２１ｂとの係合は解除される一方、クラッチスライダ１２４の洗濯槽側係合部１２４ｂと洗濯槽側係合部材１２５の外歯１２５ｂとが係合する。これによって、パルセータ１０３の回転により脱水槽１０２が共回りしようとする回転力は、フランジシャフト１１６、脱水軸１０８、スライダガイド１２２・１２３、クラッチスライダ１２４を介してロータ側係合部材１２１により受けられ、脱水槽１０２の共回りが抑制される。ここで、スライダガイド１２２・１２３とクラッチスライダ１２４との間の回転力の伝達は、より詳しくは、クラッチスライダ１２４における洗濯槽側係合部１２４ｂの側面と、上部スライダガイド１２２における矩形穴１２２ｃの側壁との間、クラッチスライダ１２４におけるロータ側係合部１２４ａと、下部スライダガイド１２３における摺動溝１２３ｃとの間、およびクラッチスライダ１２４における摺動溝１２４ｃまたは摺動凸部１２４ｄと、上部スライダガイド１２２における摺動凸部１２２ｄまたは下部スライダガイド１２３における摺動溝１２３ｃとの間の少なくとも１つの接触によって行われる。
【００３３】
一方、脱水時には、弾性体バンド１２６の引込端１２６ｃがアクチュエータ等から繰り出されて環状部１２６ａが拡径すると、４つのクラッチスライダ１２４は、それぞれコイルスプリング１２８の付勢力によって半径方向外側に移動する。そこで、クラッチスライダ１２４の洗濯槽側係合部１２４ｂと洗濯槽側係合部材１２５の外歯１２５ｂとの係合は解除される一方、クラッチスライダ１２４のロータ側係合部１２４ａとロータ側係合部材１２１の内歯１２１ｂとが係合する。これによって、モータ１０４のロータ１０４ｂの回転力は、ロータ側係合部材１２１、クラッチスライダ１２４、スライダガイド１２２・１２３、脱水軸１０８、およびフランジシャフト１１６を介して脱水槽１０２に伝達され、脱水槽１０２が回転し、洗濯物の脱水が行われる。
【００３４】
上記のように、クラッチスライダ１２４が脱水軸１０８に垂直な平面内で移動して、ロータ側係合部材１２１および洗濯槽側係合部材１２５との係合、解除が行われるので、クラッチ機構１２０の脱水軸１０８方向の長さを短く抑えることが容易にできる。それゆえ、洗濯機の高さ等に対する相対的な脱水槽１０２の深さを深くして、洗濯槽１０１の容積効率を向上させることが容易にできる。
【００３５】
（その他の事項）
上記の例では、洗濯時にはクラッチスライダ１２４が洗濯槽側係合部材１２５に係合して脱水槽１０２の共回りが抑制される例を示したが、これに限らず、単にクラッチスライダ１２４とロータ側係合部材１２１との係合が解除されるだけにしてもよい。
【００３６】
また、弾性体バンド１２６、およびコイルスプリング１２８の作用力によってクラッチスライダ１２４を移動させる例を示したが、これに限らず、例えば電磁石の磁力による吸引力や反発力によって移動させるようにしてもよい。
【００３７】
また、クラッチスライダ１２４の数は４つに限らず、３つ以下でも５つ以上でもよい。ただし、上記のように弾性体バンド１２６が用いられる場合には、あまり多くない方がクラッチスライダ１２４を均等に移動させやすい。
【００３８】
また、ロータ側係合部材１２１の内歯１２１ｂや洗濯槽側係合部材１２５の外歯１２５ｂ等は、少なくともクラッチスライダ１２４の数だけ形成されていればよいが、通常は、多いほど、クラッチスライダ１２４の移動時に噛み合いしやすくなる。
【００３９】
また、クラッチスライダ１２４は半径方向の外側と内側とに移動する例を示したが、これに限らず、脱水軸１０８に垂直な平面内の移動であって、上記のような半径方向の移動成分を含んでいれば、斜め方向や螺旋方向の移動などであってもよい。
【００４０】
また、クラッチスライダ１２４は、そのクラッチスライダ１２４およびスライダガイド１２２・１２３の一方に形成された摺動溝と他方に形成された摺動凸部とから成るスライダ機構によって、上記第１または第２の位置に移動可能に案内される例を示したが、これに限らず、軸支されることによって回転移動可能に案内されるなどしてもよい。
【００４１】
また、コイルスプリング１２８によってクラッチスライダ１２４を移動方向に付勢する例を示したが、これに限らず、板ばねや弦巻ばねなどが用いられるようにしてもよい。
【産業上の利用可能性】
【００４２】
以上説明したように、本発明は、脱水機能を有する洗濯機について有用である。
【符号の説明】
【００４３】
１０１      洗濯槽
１０２      脱水槽
１０３      パルセータ
１０４      モータ
１０４ａ    ステータ
１０４ｂ    ロータ
１０５      洗濯軸
１０６      すべり軸受
１０７      すべり軸受
１０８      脱水軸
１１１・１１２    ベアリングプレート
１１３・１１４    ベアリング
１１５      ウォータシール
１１６      フランジシャフト
１２０      クラッチ機構
１２１      ロータ側係合部材
１２１ａ    円筒部
１２１ｂ    内歯
１２２      上部スライダガイド
１２２ａ    ボス部材
１２２ｂ    円板部材
１２２ｃ    矩形穴
１２２ｄ    摺動凸部
１２２ｅ    勘合ピン
１２２ｆ    スプリング受
１２３      下部スライダガイド
１２３ａ    円板部材
１２３ｂ    勘合ボス
１２３ｃ    摺動溝
１２３ｄ    スリット
１２４      クラッチスライダ
１２４ａ    ロータ側係合部
１２４ｂ    洗濯槽側係合部
１２４ｃ    摺動溝
１２４ｄ    摺動凸部
１２４ｅ    スプリング受
１２５      洗濯槽側係合部材
１２５ａ    円筒部
１２５ｂ    外歯
１２６      弾性体バンド
１２６ａ    環状部
１２６ｂ    固定端
１２６ｃ    引込端
１２７      バンド端固定部
１２８      コイルスプリング
【図１】
2014076115.tif 000003
【図２】
2014076115.tif 000004
【図３】
2014076115.tif 000005
【図４】
2014076115.tif 000006
【図５】
2014076115.tif 000007
【図６】
2014076115.tif 000008
【図７】
2014076115.tif 000009
【図８】
2014076115.tif 000010
【図９】
2014076115.tif 000011
【図１０】
2014076115.tif 000012
【図１１】
2014076115.tif 000013
【図１２】
2014076115.tif 000014
【図１３】
2014076115.tif 000015
【図１４】
2014076115.tif 000016